(57)【特許請求の範囲】
【請求項１】
複数の線材(20a)を格子状に組付けて上方に開口する箱形状に形成した本体(20)と、該本体(20)の底面外側を対角線上に延在すると共に本体(20)のコーナー部で立上がって上方に延在する１対の斜め線材(22,22)とから構成され、前記本体(20)内に食器が収容されると共に載置部(10)に載置される食器カゴであって、
前記斜め線材(22)における本体(20)のコーナー部と対応する立上がり部(22a)を湾曲形成すると共に、その曲率を、立上がり部(22a)における上側の曲がりの終端(A)が、前記載置部(10)に載置した際に該載置部(10)の凸部(14)より上方に臨むように設定した
ことを特徴とする食器カゴ。
【請求項２】
前記載置部は、食器保管庫の内部に配設された棚部材(10)である請求項１記載の食器カゴ。
【発明の詳細な説明】
【０００１】
【発明の属する技術分野】
本発明は、食器を収容する食器カゴに関するものである。
【０００２】
【従来の技術】
厨房等で使用される食器に熱風を当てて加熱することで消毒・乾燥する熱風式保管庫(食器保管庫)は、内部画成された収納部内に棚部材が配設され、該棚部材に食器カゴが載置されるようになっている。例えば図３に示す如く、棚部材１０は、収納部１２の前後方向に離間して平行に配設された一対のフレーム１４,１４間に、幅方向に離間して複数のパイプ１６を並列に配設して構成され、食器カゴ１８は両フレーム１４,１４間のパイプ群上に載置される。これに対して食器カゴ１８は、複数の線材２０ａを格子状に組付けて上方に開口する箱形状に形成した本体２０と、該本体２０の底面外側を対角線上に延在すると共に本体２０における底側のコーナー部で立上がって、隣り合う側面同士の交わる部位に沿って上方に延在する１対の斜め線材２２,２２とから基本的に構成され、本体２０の内部に所定量の食器(図示せず)が収容されるようになっている。
【０００３】
【発明が解決しようとする課題】
前記棚部材１０においては、図４に示すように、パイプ１６の上端よりフレーム１４の上端は高く、両者１４,１６の間に段差が形成されている。このため、パイプ群上に載置した前記食器カゴ１８を、前記収納部１２から取出すべく前側のフレーム１４に向けて引出すと、図５に示す如く、前記斜め線材２２の立上がり部２２ａが、棚部材１０の前記段差部においてフレーム１４の側面に引掛かってしまう。従って、食器カゴ１８を収納部１２から取出す際には、パイプ群上に載置されている食器カゴ１８の前部を、前記段差を越える高さまで持ち上げなければならず、煩雑であった。また、斜め線材２２の立上がり部２２ａがフレーム１４に引掛かった状態で無理に引出そうとすると、棚部材１０がズレたり食器カゴ自体が変形する等の問題を招くおそれがある。
【０００４】
【発明の目的】
本発明は、従来の技術に係る食器カゴに内在している前記欠点に鑑み、これを好適に解決するべく提案されたものであって、載置部に対して引出しが容易な食器カゴを提供することを目的とする。
【０００５】
【課題を解決するための手段】
前記課題を解決し、所期の目的を達成するため、本発明に係る食器カゴは、
複数の線材を格子状に組付けて上方に開口する箱形状に形成した本体と、該本体の底面外側を対角線上に延在すると共に本体のコーナー部で立上がって上方に延在する１対の斜め線材とから構成され、前記本体内に食器が収容されると共に載置部に載置される食器カゴであって、
前記斜め線材における本体のコーナー部と対応する立上がり部を湾曲形成すると共に、その曲率を、立上がり部における上側の曲がりの終端が、前記載置部に載置した際に該載置部の凸部より上方に臨むように設定したことを特徴とする。
【０００６】
【発明の実施の形態】
次に、本発明に係る食器カゴにつき、好適な実施例を挙げて、添付図面を参照しながら以下説明する。なお、実施例に係る食器カゴの基本構成は、図３〜図５を参照して従来の技術で説明したものと略同一であるので、既出の同一部材については、同じ符号で指示して詳細説明は省略するものとする。
【０００７】
図１は、本発明の一実施例に係る食器カゴを示すものであって、該食器カゴ２４は、前述した如く、複数の線材２０ａからなる本体２０と、該本体２０の外側に配設された１対の斜め線材２２,２２とから基本的に構成され、該食器カゴ２４は載置部としての棚部材１０における両フレーム１４,１４間のパイプ群上に載置される。両線材２０ａ,２２は、例えばステンレス材を材質として形成される。なお、図１において符号２６は、本体２０の前後両側に配設される取っ手を示す。
【０００８】
前記各斜め線材２２における本体２０の底側のコーナー部と対応する立上がり部２２ａは、所要の曲率で湾曲するよう形成される。この立上がり部２２ａの曲率は、図２に示す如く、前記棚部材１０におけるパイプ群上に食器カゴ２４を載置した状態で、その立上がり部２２ａにおける上側の曲がりの終端Ａが、前記フレーム１４の上端より上方に位置するよう設定される。これにより、パイプ群上に載置した食器カゴ２４を手前側に引出した際に、前記斜め線材２２の立上がり部２２ａがフレーム１４上に円滑に乗り上げるようになっている。実施例では、棚部材１０におけるパイプ１６の上端から上方に突出するフレーム１４の上部が凸部となる。
【０００９】
【実施例の作用】
次に、実施例に係る食器カゴの作用につき、以下に説明する。前記食器カゴ２４を棚部材１０のパイプ群上に載置した際には、前記本体２０の外底面において対角線上に配設された斜め線材２２,２２が最下部に位置することとなる。この状態で、食器カゴ２４の前記取っ手２６を持って手前側に引出すことで、該カゴ２４はパイプ群上を滑って前側のフレーム１４に近接し、前記斜め線材２２の湾曲している立上がり部２２ａが該フレーム１４の角部に当接するに至る。
【００１０】
この場合に、図２に示す如く、立上がり部２２ａにおける上側の曲がりの終端Ａは、前記フレーム１４の上端より上方に位置しているから、立上がり部２２ａがフレーム１４の角部に当接した状態で更に手前側に引けば、該立上がり部２２ａはフレーム１４上に円滑に乗り上げる(図２の二点鎖線参照)。従って、そのままフレーム１４上を食器カゴ２４が滑って収納部１２から取出すことができる。すなわち、前記収納部１２から食器カゴ２４を取出すに際し、該カゴ２４の前部を持ち上げる必要はなく、取出し作業は簡単となる。また斜め線材２２の立上がり部２２ａがフレーム１４に引掛からないから、食器カゴ２４の取出しに際して前記棚部材１０がズレたりカゴ自体が変形する等の不具合の発生を未然に防止し得る。
【００１１】
ここで、前記実施例では、食器カゴ２４における最下部に位置する斜め線材２２の立上がり部２２ａを大きな湾曲形状としてフレーム１４に引掛かるのを防止したため、該斜め線材２２より上側に位置する本体２０の各線材２０ａにおけるコーナー部と対応する部位の曲率は小さいままとすることができる。これにより、本体２０の内容積が小さくなって収容し得る食器の量が少なくなるのを防ぐことが可能となる。
【００１２】
実施例では、食器カゴを熱風式保管庫に収納する場合で説明したが、該カゴを収容する食器保管庫としては、内部を冷却する冷却式保管庫や、あるいは温度調節を行なわない単なる保管庫であってもよい。
【００１３】
【発明の効果】
以上に説明した如く、本発明に係る食器カゴでは、斜め線材における立上がり部の曲率を大きく設定したことで、載置部に載置されている食器カゴを円滑に引出すことができ、該カゴの前部を持ち上げる等の煩雑な作業を省略し得る利点がある。また斜め線材の立上がり部が載置部の凸部に引掛からないから、食器カゴの取出しに際して載置部がズレたりカゴ自体が変形する等の不具合の発生は未然に防止される。
【図面の簡単な説明】
【図１】  本発明の一実施例に係る食器カゴを示す側面図である。
【図２】  実施例に係る食器カゴと棚部材との関係を示す要部説明図である。
【図３】  従来の技術に係る食器カゴを棚部材に載置した状態で示す概略平面図である。
【図４】  図３に示す棚部材に載置した食器カゴの側面図である。
【図５】  従来の技術に係る食器カゴと棚部材との関係を示す要部説明図である。
【符号の説明】
１０ 棚部材(載置部)，１４ フレーム(凸部)，２０ 本体，２０ａ 線材
２２ 斜め線材，２２ａ 立上がり部，Ａ 曲がりの終端
【図１】
0004644400.tif 000002
【図２】
0004644400.tif 000003
【図３】
0004644400.tif 000004
【図４】
0004644400.tif 000005
【図５】
0004644400.tif 000006